(57)【要約】【課題】熱源機への制御信号の伝達が確実に行え、また室内温度の検出をも確実に行える温水床暖房装置を提供すること。【解決手段】床暖房パネル３と熱源機１との間で循環ポンプ６を介して温水を循環させて暖房を行う温水床暖房装置において、前記熱源機１を制御するための遠隔操作器１０と、室内の壁面に設置され遠隔操作器１０からの制御信号を無線で受信して前記熱源機１へ伝達するための中継器１１とを備え、前記床暖房パネル３が設置される室内の温度を検出する室温検出サーミスタ１２を前記中継器１１に設ける。そして、設定温度と室内温度との偏差によって、マイコン２７が熱動弁８のオン時間とオフ時間とを計算してマイコン３７を介して制御することで、床暖房パネル３への温水供給量を制御して、室温が設定温度となるように制御することとなる。【選択図】　図１
2004020008.tif 000002
【特許請求の範囲】
【請求項１】
床暖房パネルと熱源機との間で循環ポンプを介して温水を循環させて暖房を行う温水床暖房装置において、前記熱源機を制御するための遠隔操作器と、室内の壁面に設置され前記遠隔操作器からの制御信号を無線で受信して前記熱源機へ伝達するための中継器とを備え、前記床暖房パネルが設置される室内の温度を検出する室温検出センサを前記中継器に設けたことを特徴とする温水床暖房装置。
【請求項２】
前記室温検出センサにより検出された室内温度データと前記遠隔操作器により使用者により設定された設定温度データとを格納する記憶部と、この記憶部に格納された室内温度データと設定温度データとの偏差に基づき前記熱源機を制御する制御手段とを前記中継器に設けたことを特徴とする請求項１に記載の温水床暖房装置。
【請求項３】
前記中継器を部屋の壁面に埋設される配線ボックス内に納めたことを特徴とする請求項１又は２に記載の温水床暖房装置。
【発明の詳細な説明】
【０００１】
【発明の属する技術分野】
本発明は、床暖房パネルと熱源機との間で循環ポンプを介して温水を循環させて暖房を行う温水床暖房装置に関する。
【０００２】
【従来の技術】
この温水床暖房装置にあっては、熱源機への制御信号の伝達は、直接前記熱源機を制御する遠隔操作器（リモートコントローラ）が行っている。
【０００３】
【発明が解決しようとする課題】
しかし、無線（電波）出力の大きさはいわゆる電波法等で制約があるため、遠隔操作器と熱源機との間で無線により遠隔操作を行った場合に、例えば集合住宅等のように熱源機がパイプシャフト等で囲まれた空間に置かれた場合には、遠隔操作器から熱源機に制御信号がときに伝達されないために、床暖房パネルへの温水供給ができないという問題があった。また、遠隔操作器に室温検出センサを設けると、この遠隔操作器を床暖房パネル上に置いた場合などには、確実に室内温度が検出できないという問題があった。
【０００４】
そこで本発明は、上述の事情を考慮してなされたものであり、熱源機への制御信号の伝達が確実に行え、また室内温度の検出をも確実に行える温水床暖房装置を提供することを目的とする。
【０００５】
【課題を解決するための手段】
このため第１の発明は、床暖房パネルと熱源機との間で循環ポンプを介して温水を循環させて暖房を行う温水床暖房装置において、前記熱源機を制御するための遠隔操作器と、室内の壁面に設置され前記遠隔操作器からの制御信号を無線で受信して前記熱源機へ伝達するための中継器とを備え、前記床暖房パネルが設置される室内の温度を検出する室温検出センサを前記中継器に設けたことを特徴とする。
【０００６】
また第２の発明は、第１の発明において、前記室温検出センサにより検出された室内温度データと前記遠隔操作器により使用者により設定された設定温度データとを格納する記憶部と、この記憶部に格納された室内温度データと設定温度データとの偏差に基づき前記熱源機を制御する制御手段とを前記中継器に設けたことを特徴とする。
【０００７】
更に第３の発明は、第１又は第２の発明において、前記中継器を部屋の壁面に埋設される配線ボックス内に納めたことを特徴とする。
【０００８】
【発明の実施の形態】
以下、本発明の実施の形態を図面に基づき説明する。図１は本発明に係る温水床暖房装置のシステム構成図、図２は制御ブロック図を示したものであり、以下説明する。先ず、１は室外である屋外に設置され、ガスや石油等を燃焼させて、その燃焼熱により加熱される熱交換機２が組み込まれた熱源機、３は温水配管が配設され居間などに敷設される床暖房パネル、４，５は前記熱源機１と床暖房パネル３との間で温水を循環させるための温水循環用配管、６は前記熱源機１と床暖房パネル３との間の配管５の途中に設けられる循環ポンプ、７はバイパス管、８は流量調整弁である熱動弁、９はマイクロコンピュータ（以下、「マイコン」という）３７などが配置された制御盤、１０は利用者により操作されて前記熱源機１を制御するための遠隔操作器（リモートコントローラ）、１１は室内の壁面に設置されて前記遠隔操作器１０からの制御信号を無線（赤外線）で受信して前記熱源機１へ伝達するための中継器である。
【０００９】
次に、前記遠隔操作器１０について詳述すると、この遠隔操作器１０にはマイコン２０が設けられ、このマイコン２０には設定温度や時刻などを表示する表示部２１や、運転スイッチ２２、設定温度を設定する際に使用する降温スイッチ２３や昇温スイッチ２４などのキー入力部２５や、このキー入力部２５の操作による命令を前記中継器１１に送信するための赤外線発光部２６等が接続される。
【００１０】
また前記中継器１１について詳述すると、この中継器１１にはマイコン２７が設けられ、このマイコン２７には前記床暖房パネル３が設置される室内の温度を検出する室温検出センサである室温検出サーミスタ１２、運転中に点灯する運転表示ランプ２８、試運転中に点灯する試運転表示ランプ３５等を有する表示部２９や、運転スイッチ３０などのキー入力部３１や、前記赤外線発光部２６からの制御信号を受光する赤外線受光部３２や、この赤外線受光部３２が受光した制御信号やキー入力部３１の操作による命令等を通信線３４を介して前記熱源機１に伝達するための通信回路３３等が接続される。
【００１１】
なお、前記遠隔操作器１０の降温スイッチ２３や昇温スイッチ２４などの設定手段の操作により利用者が設定した設定温度データは、マイコン２０内の記憶部に格納されると共に赤外線発光部２６が発光することにより赤外線受光部３２が受光してマイコン２７内の記憶部にも格納される。そして、前記室温検出サーミスタ１２により検出された室内温度データと利用者により設定されてマイコン２７に格納された設定温度データとの偏差に基づき、前記熱源機１をマイコン２７が制御するものである。
【００１２】
前記熱源機１の制御盤９には、マイコン３７が搭載され、このマイコン３７には通信線３４を介して前記中継器１１の通信回路３に接続される通信回路３８や、前記循環ポンプ６や熱動弁８を駆動するための駆動回路３９や、ガス弁４２や点火器４３を制御するための燃焼制御回路４０等が接続される。
【００１３】
以上のような構成により、本温水床暖房装置の通常運転は、以下のように行われる。先ず、利用者が前記遠隔操作器１０の降温スイッチ２３や昇温スイッチ２４などの設定手段を操作すると、この設定された設定温度データはマイコン２０内の記憶部に格納されると共に赤外線発光部２６が発光することにより赤外線受光部３２が受光してマイコン２７内の記憶部にも格納される。
【００１４】
そして、前記遠隔操作器１０の運転スイッチ２２を操作すると、マイコン２０は本温水床暖房装置に運転を開始するよう赤外線発光部２６を発光させて制御信号を出力する。従って、中継器１１の赤外線受光部３２がこれを受光するので、マイコン２７は通信回路３３に通信線３４を介して制御信号を出力するように制御する。そして、この制御信号を熱源機１の通信回路３８が入力するので、マイコン３７は燃焼制御回路４０を介してガス弁４２や点火器４３等を制御すると共に駆動回路３９を介して循環ポンプ６や熱動弁８等を制御し、燃焼が開始される。
【００１５】
従って、循環ポンプ６により熱源機１と床暖房パネル３との間を温水循環用配管４及び５を介して温水が循環するが、前記室温検出サーミスタ１２により検出された室内温度データと利用者により設定されてマイコン２７に格納された設定温度データとの偏差に基づき、前記熱源機１をマイコン２７が制御するものである。即ち、設定温度と室内温度との偏差によって、マイコン２７が熱動弁８のオン時間とオフ時間とを計算してマイコン３７を介して制御することで、床暖房パネル３への温水供給量を制御して、室温が設定温度となるように制御することとなる。
【００１６】
このように、前記遠隔操作器１０からの制御信号を無線（赤外線）で受信した中継器１１が前記熱源機１へ伝達するように構成したから、例えば集合住宅等のように熱源機がパイプシャフト等で囲まれた空間に置かれた場合でも、熱源機１へ制御信号の伝達が確実に行える。しかも、従来のように遠隔操作器に室温検出サーミスタ１２を設けると、この遠隔操作器を床暖房パネル３上に置いた場合などには確実に室内温度が検出できないという問題があったが、室温検出サーミスタ１２を室内の壁面に設置される中継器１１に設けたから、室内温度の検出が確実に行える。
【００１７】
なお、中継器１１の運転スイッチ３０の操作によっても、同様に通常の運転が開始されるが、ここでは省略する。
【００１８】
次に、図３に基づき、前記中継器１１を部屋の壁面に埋設される日本工業規格に準拠した配線ボックス５０内に納める実施形態について、説明する。先ず、５１は部屋の壁に埋設されるボックス本体、５２はその中間部に前記中継器１１を納めて取付孔５１Ａ及び取付孔５２Ａを夫々合致させた状態でボックス本体５１にビス５３により固定される取付金具、５４は中間部が繰り抜かれて取付孔５２Ｂ及び取付孔５４Ａを夫々合致させた状態でビス５５により固定される中枠、５６は中間部に前記中継器１１を納めた状態の取付金具５２をボックス本体５１に固定し、更にこの取付金具５２に固定した状態の中枠５４を覆うように嵌め込まれるプレートであり、このプレート５６には前記中継器１１の運転スイッチ３０や表示部２９が見えるように、窓枠５６Ａが開設されている。
【００１９】
従って、中継器１１を日本工業規格に準拠した配線ボックス５０内に納めることで、部屋の壁面に違和感無く設置することができ、中継器１１を居室の仕上がり状態を損ねることなく設置することができる。
【００２０】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【００２１】
【発明の効果】
以上のように本発明は、例えば集合住宅等のように熱源機がパイプシャフト等で囲まれた空間に置かれた場合でも、熱源機への制御信号の伝達が確実に行え、また室内温度の検出をも確実に行える温水床暖房装置を提供することができる。
【図面の簡単な説明】
【図１】温水床暖房装置のシステム構成図である。
【図２】制御ブロック図である。
【図３】中継器１１を配線ボックスに埋め込む実施形態を示す分解斜視図である。
【符号の説明】
１　　熱源機
３　　床暖房パネル
６　　循環ポンプ
１０　遠隔操作器
１１　中継器
１２　室温検出サーミスタ
２０　マイコン
２７　マイコン
３７　マイコン
５０　配線ボックス
【図１】
2004020008.tif 000003
【図２】
2004020008.tif 000004
【図３】
2004020008.tif 000005